(57)【要約】【課題】着用時の不快感がなく、毛髪等の落下を防止することが可能なフードの提供。【解決手段】着用者の頭部を覆うとともに着用者の顔部を出すための開口部２が形成されたフード１であって、開口部２の縁に、圧縮性を有する多孔質体からなり着用者の顔部に密着する帯状部材３を備えたものである。このフード１によれば、開口部２が狭まることなく開口部２の縁に備えられた帯状部材３が圧縮されることにより着用者の顔部に密着し、毛髪等の落下を防止することができる。【選択図】図１
2016160566.tif 000002
【特許請求の範囲】
【請求項１】
着用者の頭部を覆うとともに前記着用者の顔部を出すための開口部が形成されたフードであって、
前記開口部の縁に、圧縮性を有する多孔質体からなり前記着用者の顔部に密着する帯状部材を備えたフード。
【請求項２】
前記多孔質体はスポンジである請求項１記載のフード。
【請求項３】
前記多孔質体は軟質ポリウレタンフォームである請求項２記載のフード。
【請求項４】
前記帯状部材は脱着可能である請求項１から３のいずれか１項に記載のフード。
【請求項５】
前記帯状部材は、前記着用者の顔部に密着する面に前記開口部の縁に沿う方向に延びる凸部または凹部を有するものである請求項１から４のいずれか１項に記載のフード。
【発明の詳細な説明】
【技術分野】
【０００１】
本発明は、クリーンルームや食品工場等において着用するフードに関する。
【背景技術】
【０００２】
クリーンルームや食品工場等において、作業者は毛髪やフケ等（以下、「毛髪等」と称す。）の落下を防止するために頭部を覆う布製のフードを着用する。このフードは、着用者の頭部を覆うとともに着用者の顔部を出すための開口部が形成されている。また、開口部の隙間から毛髪等が落下するのを防ぐため、開口部の縁に伸縮性の帯体を設けたものが知られている（例えば、特許文献１〜５参照。）。
【先行技術文献】
【特許文献】
【０００３】
【特許文献１】特開２００６−２２４３４号公報
【特許文献２】特開２００２−１６１４２４号公報
【特許文献３】特開２００５−１７１４４１号公報
【特許文献４】特開２００６−２４９６３１号公報
【特許文献５】特開２０１０−１０６３８０号公報
【発明の概要】
【発明が解決しようとする課題】
【０００４】
従来、開口部の隙間からの毛髪等の落下を防止するために開口部の縁に伸縮性の帯体を設けているが、このような帯体の伸縮により開口部の隙間を塞ぐためにはしっかりと帯体を縮ませて開口部を狭める必要がある。そのため、着用者の顔部が帯体により圧迫され、不快感がある。また、帯体を縮ませた際に開口部の縁が波状となって狭まるため、波状の隙間が形成されることがあり、この隙間から毛髪等が落下する可能性がある。
【０００５】
そこで、本発明においては、着用時の不快感がなく、毛髪等の落下を防止することが可能なフードを提供することを目的とする。
【課題を解決するための手段】
【０００６】
本発明のフードは、着用者の頭部を覆うとともに着用者の顔部を出すための開口部が形成されたフードであって、開口部の縁に、圧縮性を有する多孔質体からなり着用者の顔部に密着する帯状部材を備えたものである。本発明のフードによれば、開口部が狭まることなく開口部の縁に備えられた帯状部材が圧縮されることにより着用者の顔部に密着し、毛髪等の落下を防止することができる。
【０００７】
ここで、帯状部材は脱着可能であることが望ましい。これにより、着用者の顔部に密着する帯状部材をフードから取り外して、新たなものと交換することが可能となる。
【０００８】
また、帯状部材は、着用者の顔部に密着する面に開口部の縁に沿う方向に延びる凸部または凹部を有するものであることが望ましい。フード内で落下した毛髪が帯状部材と着用者の顔部との間に挟まった場合、毛髪のキューティクルにより帯状部材と顔部との間を下方向に進もうとするが、この着用者の顔部に密着する帯状部材の面に開口部の縁に沿う方向に延びる凸部または凹部によって毛髪の進行が阻害され、凸部または凹部の延びる方向に進もうとする。これにより、毛髪は開口部の縁に沿って進むので、毛髪が帯状部材と顔部との間をすり抜けて開口部に落ちるのを防止することが可能となる。
【発明の効果】
【０００９】
（１）開口部の縁に、圧縮性を有する多孔質体からなり着用者の顔部に密着する帯状部材を備えたフードによれば、開口部が狭まることなく開口部の縁に備えられた帯状部材が圧縮されることにより着用者の顔部に密着するので、着用時の不快感がなく、毛髪等の落下を防止することができる。
【００１０】
（２）着用者の顔部に密着して最も汚損しやすい帯状部材が脱着可能であることにより、着用者の顔部に密着する帯状部材をフードから取り外して、新たなものと交換することができ、経済的である。
【００１１】
（３）帯状部材が、着用者の顔部に密着する面に開口部の縁に沿う方向に延びる凸部または凹部を有するものであることにより、毛髪が帯状部材と顔部との間をすり抜けて開口部に落ちるのを防止することが可能となる。
【図面の簡単な説明】
【００１２】
【図１】本発明の実施の形態におけるフードの正面図である。
【図２】図１のＡ−Ａ断面図である。
【図３】図１のフードの着用時のＡ−Ａ断面図である。
【図４】本発明の別の実施形態を示すフードの正面図である。
【図５】本発明の別の実施形態を示すフードの開口部を裏側からみた図である。
【図６】図５のＢ−Ｂ断面図である。
【発明を実施するための形態】
【００１３】
図１は本発明の実施の形態におけるフードの正面図、図２は図１のＡ−Ａ断面図、図３は図１のフードの着用時のＡ−Ａ断面図である。
【００１４】
図１において、本発明の実施の形態におけるフード１は、着用者の頭部、頸部および肩部を覆うように形成されたものである。フード１は、例えば布により柔軟に形成されている。また、フード１には、着用者の顔部の両眼、鼻および口を出すための開口部２が形成されている。開口部２の縁には、開口部２から毛髪等が落下するのを防止するための帯状部材３を備える。
【００１５】
帯状部材３は、圧縮性を有する多孔質体からなる帯状の部材である。帯状部材３は、図２に示すように開口部２の縁に沿って裏面側（内側）に設けられている。図３に示すように、帯状部材３は、着用者の顔部４に押し付けられると、圧縮されて体積が減少し、着用者の顔部４に隙間なく密着する。このとき、開口部２の大きさは変わらず、狭まることがないため、着用時の不快感はない。
【００１６】
多孔質体は、例えば、スポンジを使用することができる。スポンジは、内部に細かな孔（連続気泡）が無数に空いたものであり、圧縮されると孔内の空気が外部に押し出されることにより体積が減少する。スポンジは天然スポンジを使用することも可能であるが、軟質ポリウレタンフォームなどの合成スポンジを使用することが望ましい。軟質ポリウレタンフォームは、見かけ比重１６〜１００ｋｇ／ｍ3であり、顔部４に軽く押し当てるだけで体積比で３０％以上圧縮され、顔部４への負担が少ない。
【００１７】
このように開口部２の縁に、圧縮性を有する多孔質体からなり着用者の顔部に密着する帯状部材３を備えたフード１によれば、開口部２が狭まることなく開口部２の縁に備えられた帯状部材３が圧縮されることにより着用者の顔部４に密着するので、着用時の不快感がなく、毛髪等の落下を防止することができる。
【００１８】
また、帯状部材３は、開口部２の縁に縫い付けた構成とすることができるが、ホックや面ファスナー等を用いることにより脱着可能とすることもできる。帯状部材３は着用者の顔部４に密着するため最も汚損しやすいため、この帯状部材３をフード１から取り外して、新たなものと交換可能とすることで、フード１を長期的に使用することが可能となり、経済的である。
【００１９】
図４は本発明の別の実施形態を示すフードの正面図である。図４に示すフード５は、着用者の頭部を覆うように形成されたものであり、着用者の顔部の両目を出すための開口部６が形成されたものである。このようなフード５においても、開口部６の縁に前述と同様に帯状部材３を設けることで、着用時の不快感なく、毛髪等の落下を防止することができる。
【００２０】
なお、帯状部材３は毛髪等の落下を防止するために、主に開口部２の上部および左右部に設ければ良いが、開口部２の周り全体を囲むように設けることも可能である。
【００２１】
また、帯状部材３は、着用者の顔部４に密着する面に開口部２の縁に沿う方向に延びる凸部または凹部を有するものとすることができる。図５は本発明の別の実施形態を示すフードの開口部を裏側からみた図、図６は図５のＢ−Ｂ断面図である。
【００２２】
図５および図６に示す帯状部材３は、着用者の顔部４に密着する面に開口部２の縁に沿う方向に延びる凸部７を有する。凸部７は開口部２の縁に沿って平行に、帯状部材３のほぼ全長に渡って複数列形成されている。凸部７は帯状部材３と一体に形成しても、別部材を貼り付けることによって形成しても良い。
【００２３】
フード１内で落下した毛髪が帯状部材３と着用者の顔部との間に挟まった場合、毛髪のキューティクルにより帯状部材３と顔部との間を下方向に進もうとするが、この着用者の顔部に密着する帯状部材３の面に開口部２の縁に沿う方向に延びる凸部７によって毛髪の進行が阻害され、凸部７の延びる方向に進もうとする。これにより、毛髪は開口部２の縁に沿って進むので、毛髪が帯状部材３と顔部との間をすり抜けて開口部２に落ちるのを防止することが可能となる。
【００２４】
なお、凸部７に代えて凹部とすることも可能である。凹部の場合も同様に、凹部によって毛髪の進行が阻害され、毛髪は凹部の延びる方向に進もうとする。これにより、毛髪は開口部２の縁に沿って進むようになり、毛髪が帯状部材３と顔部との間をすり抜けて開口部２に落ちるのを防止することが可能となる。
【産業上の利用可能性】
【００２５】
本発明のフードは、クリーンルームや食品工場等において着用するフードとして有用であり、特に、着用時の不快感がなく、毛髪等の落下を防止することが可能なフードとして好適である。
【符号の説明】
【００２６】
１，５  フード
２，６  開口部
３  帯状部材
４  顔部
７  凸部
【図１】
2016160566.tif 000003
【図２】
2016160566.tif 000004
【図３】
2016160566.tif 000005
【図４】
2016160566.tif 000006
【図５】
2016160566.tif 000007
【図６】
2016160566.tif 000008